(57)【要約】【課題】  動作の進行状況をユーザに認識させることができるプリンタを提供する。【解決手段】  配列された４つの１ｓｔＬＥＤ，２ｎｄＬＥＤ，３ｒｄＬＥＤ，４ｔｈＬＥＤに、互いに異なる内部状況を互いに独立に点滅表示させるとともに、画像データ受信中は、画像データ受信の進度に合わせた個数のＬＥＤを点灯させる。【選択図】  図１１
2007015227.tif 000002
【特許請求の範囲】
【請求項１】
画像データを受信し受信した画像データに基づく画像をプリント出力するプリンタにおいて、
配列された複数の発光素子と、
前記複数の発光素子に、互いに異なる内部状況を互いに独立に表示させるとともに、画像データ受信中は、画像データ受信の進度に合わせた個数の発光素子を発光させる発光制御部とを備えたことを特徴とするプリンタ。
【請求項２】
前記発光制御部は、データ量が不明な画像データ受信中は、受信開始からの時間経過に従った個数の発光素子を発光させるものであることを特徴とする請求項１記載のプリンタ。
【請求項３】
画像データを受信し受信した画像データに基づく画像をプリント出力するプリンタにおいて、
配列された複数の発光素子と、
前記複数の発光素子に、互いに異なる内部状況を互いに独立に表示させるとともに、プリント出力中は、プリント出力の進度に合わせた個数の発光素子を発光させる発光制御部とを備えたことを特徴とするプリンタ。
【請求項４】
画像データを受信し受信した画像データに基づく画像をプリント出力するプリンタにおいて、
発光素子と、
前記発光素子を、画像データ受信中、画像データ受信の進度に合わせた明るさで発光させる発光制御部とを備えたことを特徴とするプリンタ。
【請求項５】
前記発光制御部は、データ量が不明な画像データ受信中は、前記発光素子を、受信開始からの時間経過に従った明るさで発光させるものであることを特徴とする請求項４記載のプリンタ。
【請求項６】
画像データを受信し受信した画像データに基づく画像をプリント出力するプリンタにおいて、
発光素子と、
前記発光素子を、プリント出力中、プリント出力の進度に合わせた明るさで発光させる発光制御部とを備えたことを特徴とするプリンタ。
【発明の詳細な説明】
【技術分野】
【０００１】
本発明は、画像データを受信し受信した画像データに基づく画像をプリント出力するプリンタに関する。
【背景技術】
【０００２】
従来より、画像データを受信し受信した画像データに基づく画像をプリント出力するプリンタにおいて、ユーザに対して、画像データの受信状況やプリント出力状況を視覚的に認識させる技術が提案されている。例えば、パーソナルコンピュータ等から送られてくる画像データを受信している間は表示用ＬＥＤを点灯し、通信障害が所定時間継続した場合は表示用ＬＥＤを点滅するプリンタが提案されている（例えば、特許文献１参照）。
【０００３】
また、プリント出力することができない状態（エラー状態）や、プリント出力することはできるものの正常ではない状態（警告状態）の場合は、液晶パネルのバックライトを点灯するプリンタも提案されている（例えば、特許文献２参照）。
【特許文献１】特開平８−３００７７２号公報
【特許文献２】特開２００３−３１２１０３号公報
【発明の開示】
【発明が解決しようとする課題】
【０００４】
上述した特許文献１に提案された、画像データを受信している間は表示用ＬＥＤを点灯する技術では、大容量の画像データを受信する場合に代表されるように画像データの受信時間が長い場合、表示用ＬＥＤは長時間点灯状態となる。このため、長時間にわたって表示用ＬＥＤに変化が見られず、従って画像データの受信の進行状況をユーザに認識させる点に欠けるという問題がある。
【０００５】
また、特許文献２に提案された、エラー状態や警告状態の場合は液晶パネルのバックライトを点灯する技術では、通常のプリント出力中はバックライトは消灯状態にある。従って、プリント出力の進行状況をユーザに認識させる点に欠けるという問題がある。このように、従来のプリンタでは、画像データの受信の進行状況や画像のプリント出力の進行状況である動作状況をユーザに認識させる点に欠けるという問題を抱えている。
【０００６】
本発明は、上記事情に鑑み、動作の進行状況をユーザに認識させることができるプリンタを提供することを目的とする。
【課題を解決するための手段】
【０００７】
上記目的を達成する本発明のプリンタのうちの第１のプリンタは、画像データを受信し受信した画像データに基づく画像をプリント出力するプリンタにおいて、
配列された複数の発光素子と、
上記複数の発光素子に、互いに異なる内部状況を互いに独立に表示させるとともに、画像データ受信中は、画像データ受信の進度に合わせた個数の発光素子を発光させる発光制御部とを備えたことを特徴とする。
【０００８】
本発明の第１のプリンタは、配列された複数の発光素子に、互いに異なる内部状況を互いに独立に表示させるとともに、画像データ受信中は、画像データ受信の進度に合わせた個数の発光素子を発光させるものである。一般に、プリンタに画像データを送信する際に用いられる、ＥＸＩＦフォーマット等に代表される画像データフォーマットに付加されているヘッダ情報には、画像容量等の情報が含まれている。そこで、画像データ受信の際に、そのヘッダ情報をあらかじめ識別して解析することにより、これから受信する画像データの容量を知ることができる。このため、例えば、画像データが１／４程度受信している段階で複数の発光素子のうちの１番目の発光素子を点滅表示させるとともに画像データが１／４程度受信完了したらその発光素子を点灯し、画像データが１／２程度受信している段階で２番目の発光素子を点滅表示させるとともに画像データが１／２程度受信完了したらその発光素子も点灯するというように、互いに異なる内部状況を互いに独立に表示させるとともに画像データ受信の進度に合わせた個数の発光素子を発光させることができる。このようにすることにより、画像データの受信の進行状況をユーザに認識させることができる。
【０００９】
ここで、本発明の第１のプリンタにおける上記発光制御部は、データ量が不明な画像データ受信中は、受信開始からの時間経過に従った個数の発光素子を発光させるものであってもよい。
【００１０】
画像データの中には、上述したヘッダ情報を付加しておらず、従ってデータ量が不明な画像データもある。そこで、受信開始からの例えばタイマ等による時間経過に従った個数の発光素子を発光させると、データ量が不明な画像データの場合であっても、画像データの受信の進行状況をユーザに認識させることができる。
【００１１】
また、上記目的を達成する本発明のプリンタのうちの第２のプリンタは、画像データを受信し受信した画像データに基づく画像をプリント出力するプリンタにおいて、
配列された複数の発光素子と、
上記複数の発光素子に、互いに異なる内部状況を互いに独立に表示させるとともに、プリント出力中は、プリント出力の進度に合わせた個数の発光素子を発光させる発光制御部とを備えたことを特徴とする。
【００１２】
本発明の第２のプリンタは、配列された複数の発光素子に、互いに異なる内部状況を互いに独立に表示させるとともに、プリント出力中は、プリント出力の進度に合わせた個数の発光素子を発光させるものである。このため、例えば、プリント出力が１／４程度行なわれている段階で複数の発光素子のうちの１番目の発光素子を点滅表示させるとともにプリント出力が１／４程度完了したらその発光素子を点灯し、プリント出力が１／２程度行なわれている段階で２番目の発光素子を点滅表示させるとともにプリント出力が１／２程度完了したらその発光素子も点灯するというように、互いに異なる内部状況を互いに独立に表示させるとともにプリント出力の進度に合わせた個数の発光素子を発光させることができる。このようにすることにより、プリント出力の進行状況をユーザに認識させることができる。
【００１３】
さらに、上記目的を達成する本発明のプリンタのうちの第３のプリンタは、画像データを受信し受信した画像データに基づく画像をプリント出力するプリンタにおいて、
発光素子と、
上記発光素子を、画像データ受信中、画像データ受信の進度に合わせた明るさで発光させる発光制御部とを備えたことを特徴とする。
【００１４】
本発明の第３のプリンタは、発光素子を、画像データ受信中、画像データ受信の進度に合わせた明るさで発光させるものである。一般に、プリンタに画像データを送信する際に用いられる、ＥＸＩＦフォーマット等に代表される画像データフォーマットに付加されているヘッダ情報には、画像容量等の情報が含まれている。そこで、画像データ受信の際に、そのヘッダ情報をあらかじめ識別して解析することにより、これから受信する画像データの容量を知ることができる。このため、例えば、画像データが１／４程度受信している段階で発光素子を第１の明るさで発光させ、画像データが１／２程度受信している段階でその発光素子をその第１の明るさよりも明るい第２の明るさで発光させるというように、画像データ受信の進度に合わせた明るさで発光素子を発光することにより、画像データの受信の進行状況をユーザに認識させることができる。
【００１５】
ここで、本発明の第３のプリンタにおける上記発光制御部は、データ量が不明な画像データ受信中は、上記発光素子を、受信開始からの時間経過に従った明るさで発光させるものであることが好ましい。
【００１６】
画像データの中には、データ量が不明な画像データもある。そこで、受信開始からの例えばタイマ等による時間経過に従った明るさで発光素子を発光させると、データ量が不明な画像データの場合であっても、画像データの受信の進行状況をユーザに認識させることができる。
【００１７】
また、上記目的を達成する本発明のプリンタのうちの第４のプリンタは、画像データを受信し受信した画像データに基づく画像をプリント出力するプリンタにおいて、
発光素子と、
上記発光素子を、プリント出力中、プリント出力の進度に合わせた明るさで発光させる発光制御部とを備えたことを特徴とする。
【００１８】
本発明の第４のプリンタは、発光素子を、プリント出力中、プリント出力の進度に合わせた明るさで発光させるものである。このため、例えば、プリント出力が１／４程度行なわれている段階で発光素子を第１の明るさで発光させ、プリント出力が１／２程度行なわれている段階でその発光素子をその第１の明るさよりも明るい第２の明るさで発光させるというように、プリント出力の進度に合わせた明るさで発光素子を発光することにより、プリント出力の進行状況をユーザに認識させることができる。
【発明の効果】
【００１９】
本発明のプリンタによれば、動作の進行状況をユーザに認識させることができる。
【発明を実施するための最良の形態】
【００２０】
以下、本発明の実施形態について説明する。
【００２１】
図１は、本発明の第１のプリンタの一実施形態を、斜め前方から見た斜視図である。
【００２２】
このプリンタ１は、携帯電話などと組み合わされて使用されるものであって、露光により潜像が形成され送り出しの際に処理液が展開されて顕像化されるインスタント写真シートが複数枚（ここでは１０枚として説明する）積層されたインスタントフイルムパックがパック室に装填され、そのインスタント写真シートを画像データに応じて露光して外部に送り出しながらそのインスタント写真シートに処理液を展開するものである。
【００２３】
携帯電話にはＩｒＤＡ（Ｉｎｆｒａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタ１に送信することができる。このプリンタ１は、そのカメラ付き携帯電話で撮影された画像を表わす画像データまたは電子メールなどで携帯電話に送信されてきた画像データが赤外線通信を用いてこのプリンタ１に送信されてきたときに、その画像データに基づいてインスタント写真シート上に画像のプリントを行なうものであり、さらにその送信された画像データに基づく画像の再プリントを、携帯電話から再送信をわざわざ行なわなくても、後述するリピートスイッチを操作するという簡単な操作で別のインスタント写真シート上に行なえるものである。
【００２４】
このプリンタ１は、図１に示すように薄型で軽量かつ小型の構造を有する可搬型のプリンタであり、３Ｖ用の一次電池が２個内蔵される。このプリンタ１の筐体１ａ内にインスタントフイルムパックが装填され、そのインスタントフイルムパック内の、積層された１０枚のインスタント写真シート一枚一枚に画像の記録が行なわれる。
【００２５】
プリンタ１の筐体１ａの上面には操作ボタンとして、このプリンタ１の電源の投入および遮断を指示する電源スイッチ（以下、電源ＳＷと記述する）１１と、送信された画像データに基づく画像の再プリントを行なうためのリピートスイッチ（以下、リピートＳＷと記述する）１２が設けられている。また、筐体１ａの上面には、インスタントフイルムシートの残り枚数を示すカウンタ１３が設けられている。このカウンタ１３は機械式のカウンタであり、未使用のインスタントフイルムパックが装填されると残り枚数が１０枚であることを示す数値‘１０’が表示される。以下、インスタント写真シートに画像のプリントが行なわれる度に枚数が減算された残り枚数を示す数値が表示され、１０枚目のインスタント写真シートに画像のプリントが行なわれると残り枚数が０枚であることを示す数値‘０’が表示される。尚、インスタントフイルムパックが抜かれた場合は、何も表示されないブランク状態となる。
【００２６】
また、このプリンタ１の端部には、送受信窓１４が設けられている。この送受信窓１４の内側には、後述するＩｒＤＡ送受信部が設けられている。このＩｒＤＡ送受信部は、赤外線通信により送信されてきた画像データを受信するとともに、受信された旨を相手側に知らせるための信号を送信する。
【００２７】
さらに、このプリンタ１の筐体１ａには、電源が投入されると点灯する電源用ＬＥＤ５１、赤外線通信時に点灯するパイロット用ＬＥＤ５２、赤外線通信においてエラーが発生すると点灯する通信エラー用ＬＥＤ５３、および内蔵された電池電圧が低下するとユーザに電池交換を促すために点灯するローバッテリ表示用のＬＥＤ５４が配列されている。
【００２８】
また、プリンタ１の側面には、そのプリンタ１の下面側に設けられた後述するフイルムドアを開放するためのフイルムドア開放スイッチ１８が備えられており、コーナー部にはストラップ取付部１ｂが備えられている。
【００２９】
図２は、図１に示すプリンタにおいて、カメラ付き携帯電話からの画像データに基づいて画像が記録されたインスタント写真シートが排出される様子を示す図である。
【００３０】
カメラ付き携帯電話１０の赤外線通信部をプリンタ１の送受信窓１４に向けた状態で、そのカメラ付き携帯電話１０を操作して、カメラ付き携帯電話１０で撮影された画像を表わす画像データを赤外線通信を用いてこのプリンタ１に送信する。プリンタ１は、赤外線通信により送信されてきた画像データを受信し、その受信した画像データに基づく潜像のプリントを露光によりインスタント写真シート１００１上に行ないながら、そのインスタント写真シート１００１を顕像しつつ、プリンタ１の送出口１９から外部へ徐々に排出する。その後、リピートＳＷ１２が操作されたときにも、その画像と同じ画像の再プリントが別のインスタント写真シート上に行なわれる。
【００３１】
図３は、図１に示すプリンタの下面側を斜め上方から見た斜視図である。
【００３２】
このプリンタ１の下面側には、図２に示すフイルムドア開放スイッチ１８の操作により開放されるフイルムドア２０が設けられており、このフイルムドア２０が開けられ、インスタントフイルムパックがパック室に装填される。また、フイルムドア２０には、インスタントフイルムパックが装填されているか否かを確認するためのパック在否確認窓２０ａが設けられている。さらに、フイルムドア２０に隣接して、このプリンタ１の電源となる電池を実装するために開放される電池蓋２１も設けられている。
【００３３】
図４は、図３に示すプリンタの、フイルムドアが開けられた状態の斜視図である。
【００３４】
フイルムドア２０の内側には、前述したパック在否確認窓２０ａと、バネ部材２０ｂ,２０ｃが設けられており、これらのバネ部材２０ｂ，２０ｃによってインスタントフイルムパック内に積層されたインスタント写真シートがプリンタ１の上面側に押圧される。
【００３５】
また、プリンタ１には、インスタントフイルムパックを装填するためのパック室２２が設けられている。パック室２２外の、図４における右側には、搬送するインスタント写真シートに画像を書き込む画像書込部３００および媒体搬送展開部３０が設けられている。これら画像書込部３００および媒体搬送展開部３０の詳細については後述する。また、パック室２２内の、図４における下方には、インスタント写真シートを画像書込部３００および媒体搬送展開部３０側に送り出させるためのクロー（爪）２４が設けられている。このような構成によって、インスタントフイルムパック内のインスタント写真シートのうちの、プリンタ１の一番上面側にあるインスタント写真シートがクロー２４で掻き上げられて媒体搬送展開部３０で搬送されながら画像書込部３００で画像が書き込まれて現像される。
【００３６】
図５は、図４に示すプリンタの、筐体が取り外された状態の斜視図である。
【００３７】
図５には、直流モータ４０６と、その直流モータ４０６からの回転駆動力を後述する搬送ロールおよび展開ロールに伝達するギア列３９を備えた媒体搬送展開部３０が示されている。また、この図５には、パック室２２内に設けられたクロー２４も示されている。
【００３８】
図６は、インスタント写真シートの露光面を示す斜視図、図７は、インスタント写真シートの観察面を示す斜視図である。
【００３９】
図６には、インスタント写真シート１００１の露光面１００１＿１が示されている。この露光面１００１＿１には、インスタント写真シート１００１の搬送方向先端部に配備された処理液溜り１００１ａと、画像が露光される露光部１００１ｂと、余白部１００１ｃと、余った処理液を吸収するトラップ部１００１ｄとが設けられている。また、図７には、インスタント写真シート１００１の観察面１００１＿２側が示されている。この観察面１００１＿２には、露光により潜像が形成され処理液の展開を受けて顕像化された画像を観察するための観察部１００１ｅと、余白部１００１ｆが設けられている。
【００４０】
図８は、媒体搬送展開部の断面図である。
【００４１】
媒体搬送展開部３０には、インスタント写真シート１００１の両側部を挟んでそのインスタント写真シート１００１を搬送する一対の搬送ローラ３１，３２が備えられている。搬送ローラ３２は、バネ部材３５＿１で搬送ローラ３１側に付勢されている。
【００４２】
また、媒体搬送展開部３０には、上記一対の搬送ローラ３１，３２よりもインスタント写真シート１００１の搬送方向下流側に配備され、そのインスタント写真シート１００１を全幅に亘って挟んで処理液溜り１００１ａを押し潰して処理液を展開する一対の展開ローラ３３，３４が備えられている。展開ローラ３４は、バネ部材３５＿２で展開ローラ３３側に付勢されている。
【００４３】
さらに、媒体搬送展開部３０には、搬送ローラ３１,３２と展開ローラ３３,３４との間に位置して展開中の処理液を制御するための制御板３６,３７と、インスタント写真シート１００１を案内するためのフイルム案内フレーム３８が備えられている。また、インスタントフイルムパック２５の出口近傍には、画像書込部３００が設けられている。
【００４４】
本実施形態のプリンタ１は、インスタントフイルムパック２５内のインスタント写真シート１００１のうちの、プリンタ１の一番上面側にあるインスタント写真シート１００１を、所定の搬送開始点Ｐｓからクロー２４（図４、図５参照）で掻き上げて、搬送ローラ３１，３２で搬送しながら画像書込部３００で固定書込点Ｐｆにて画像を書き込み始める。さらに、このプリンタ１は、インスタント写真シート１００１に画像を書き込みながら搬送ローラ３１，３２でインスタント写真シート１００１を搬送し、展開ローラ３３，３４で処理液溜り１００１ａを押し潰して処理液を展開し、展開中の処理液を制御板３６,３７で制御して現像を行なって所定の搬送終了点Ｐｅまで搬送する。このようにして、１枚のインスタント写真シート１００１上に画像をプリントする。
【００４５】
図９は、プリンタ内部の制御系統を示す構成ブロック図である。
【００４６】
図９の右端側には、図１に示すプリンタ１の模式図が示されており、この右端部を除く全域に、このプリンタ１の制御系統を示す構成が示されている。尚、図９に示す矢印は、このプリンタ１における、制御系統を示す構成要素それぞれの配置関係を示す。
【００４７】
このプリンタ１には、メイン基板部１００と、サブ基板部２００と、画像書込部３００と、ＦＰＩ部４０１と、ＥＮＣＰＩ部４０２と、ＣＯＵＮＴＰＩ部４０３と、カムスイッチ４０４と、前述した送受信窓１４に設けられたＩｒＤＡ送受信部４０５と、上述した直流モータ４０６とが備えられている。
【００４８】
サブ基板部２００には、前述した電源ＳＷ１１，リピートＳＷ１２、および電源用ＬＥＤ５１，パイロット用ＬＥＤ５２，通信エラー用ＬＥＤ５３，ローバッテリ表示用のＬＥＤ５４を含む後述する表示回路部２０１が備えられている。
【００４９】
画像書込部３００には、光ガイドや液晶シャッタ（ＬＣＳ）等を有する光ヘッド部３０１と、その光ヘッド部３０１とメイン基板部１００とを接続するフレキシブルケーブル３０２,３０３と、フレキシブルケーブル３０３に実装されたレッド（Ｒ）,グリーン（Ｇ）,ブルー（Ｂ）の発光色を持つ発光素子（ＬＥＤ）３０４,３０５,３０６とが備えられている。この画像書込部３００は、搬送途中のインスタント写真シートに、書込指示パルスに同期してＩｒＤＡ送受信部４０５により受信した画像データに基づいて、ＬＥＤ３０４,３０５,３０６からのＲ，Ｇ，Ｂの３つの色光を循環的に照射することにより、そのインスタント写真シート１００１に潜像を書き込む。また、プリンタ１には、３Ｖ用の一次電池４０７が２個内蔵される。
【００５０】
メイン基板部１００には、直列接続された一次電池４０７からの６Ｖの電源電圧ＶＢが印加される。このメイン基板部１００には、ＭＰＵ（Ｍｉｃｒｏ  Ｐｒｏｃｅｓｓｏｒ  Ｕｎｉｔ）１０１と、発振子１０２と、リセット回路１０３と、フラッシュメモリ（ＦＬＡＳＨ）１０４と、ＳＤＲＡＭ１０５とが備えられている。
【００５１】
ＭＰＵ１０１は、このプリンタ１の動作を統括的に制御する。
【００５２】
発振子１０２は、所定の周波数の発振信号を生成してＭＰＵ１０１に動作用のクロック信号として供給する。
【００５３】
リセット回路１０３は、ＭＰＵ１０１の初期化を行なうためのリセット信号を出力する。
【００５４】
フラッシュメモリ１０４は、不揮発性のメモリであり、このフラッシュメモリ１０４には、プリンタ１固有の機構等に依存して定まる固体差調整用の調整値等が記憶される。
【００５５】
ＳＤＲＡＭ１０５は、揮発性のメモリであり、このＳＤＲＡＭ１０５には、カメラ付き携帯電話１０からの画像データ等が記憶される。
【００５６】
また、このメイン基板部１００には、６Ｖの電源電圧ＶＢを入力して、２．５Ｖの電圧を出力する電源部１０６、３．３Ｖの電圧を出力する電源部１０７、および１５Ｖの電圧を出力するＤＣ／ＤＣコンバータ１０８が備えられている。さらに、ＭＰＵ１０１からの指示を受けてこれら電源部１０６，１０７，ＤＣ／ＤＣコンバータ１０８を制御する電源制御部１０９も備えられている。ここで、２．５Ｖの電圧はＭＰＵ１０１に供給されるとともに３．３Ｖの電圧はＭＰＵ１０１以外の周辺回路に供給される。また、１５Ｖの電圧は、後述するＬＣＤ駆動用として用いられる。
【００５７】
このプリンタ１では、一次電池４０７の長寿命化を図るために、低消費電力モードであるスタンバイモードを有するＭＰＵ１０１を備え、電源ＳＷ１２が押された場合であっても、ＭＰＵ１０１は、初期処理が終了した時点でスタンバイモードとなる。この状態で外部から赤外線通信が行なわれると、スタンバイモードから通常の動作モードに移行してインスタント写真シートに画像を記録し、速やかに通常の動作モードからスタンバイモードに移行する。また、リピートＳＷ１２が押された場合もインスタント写真シートに画像を記録した後はスタンバイモードになる。さらに、ＭＰＵ１０１が、各部に対して必要な動作時のみ電力を供給するように、電源制御部１０９を介して電源部１０６，１０７，ＤＣ／ＤＣコンバータ１０８を制御する。このようにすることにより、内蔵された一次電池４０７で長期に渡ってこのプリンタ１を使用することができる。
【００５８】
さらに、メイン基板部１００には、ＢＣ部１１０と、ＴＰＧ部１１１と、温度検出部１１２と、発振子１１３と、ＩｒＤＡ／ＬＣＳ制御部１１４と、ヘッドＬＥＤ駆動部１１５とが備えられている。
【００５９】
ＢＣ部１１０は、一次電池４０７の電源電圧ＶＢが所定の値よりも低下したか否かをチェックする。ＭＰＵ１０１は、このチェック結果を参照して一次電池４０７の電源電圧ＶＢが所定の値よりも低下していると判定した場合は、ユーザに電池交換を促すためにローバッテリ表示用のＬＥＤ１７を点灯する。
【００６０】
ＴＰＧ部１１１は、ＤＣ／ＤＣコンバータ１０８から出力される１５Ｖの電圧をオン，オフする。
【００６１】
温度検出部１１２は、画像書込部３００の温度を検出する。ＭＰＵ１０１は、この温度検出部１１２からの検出信号に応じて光学ヘッド部３０１内の液晶シャッタの各シャッタ部のシャッタスピード等を制御する。
【００６２】
発振子１１３は、所定の周波数の発振信号を生成してＩｒＤＡ／ＬＣＳ制御部１１４に供給する。
【００６３】
ＩｒＤＡ／ＬＣＳ制御部１１４は、発振子１１３からの発振信号に基づいてＩｒＤＡ送受信部４０５および光ヘッド部３０１を制御する。ＩｒＤＡ送受信部４０５には赤外線通信を行なうための投光素子および受光素子が備えられており、ＩｒＤＡ／ＬＣＳ制御部１１４は、上記受光素子で光電変換されたデータをＭＰＵ１０１に送ったり、ＭＰＵ１０１からその旨を外部の機器に知らせるためのデータを上記投光素子経由で外部に送信したりする。また、ＩｒＤＡ／ＬＣＳ制御部１１４は、ＭＰＵ１０１からの指示に基づいて、フレキシブルケーブル３０２を介して光ヘッド部３０１に備えられた液晶シャッタを制御する。
【００６４】
ヘッドＬＥＤ駆動部１１５は、ＭＰＵ１０１の指示に基づいた電流を、フレキシブルケーブル３０３を経由してＬＥＤ３０４，３０５，３０６に流すことにより、それらＬＥＤ３０４，３０５，３０６を駆動する。
【００６５】
本実施形態のプリンタ１は、インスタント写真シート１００１を直流モータ４０６で所定の副走査方向（インスタント写真シート１００１が送り出される方向）に送りながら、そのインスタント写真シート１００１上にその副走査方向に関しＲ，Ｇ，Ｂの３色の色について循環的に書き込むとともに、その副走査方向に交わる主走査方向については、その主走査方向に並ぶ全画素について、同時に同じ色の書き込みを行なうことにより、そのインスタント写真シート１００１上にカラー画像をプリントするプリンタである。
【００６６】
カラー画像をプリントするにあたり、画像書込部３００を構成する光学ヘッド部３０１には、フレキシブルケーブル３０２を介してＩｒＤＡ／ＬＣＳ制御部１１４から画像データに応じた制御信号が供給される。この制御信号は光学ヘッド部３０１内の液晶シャッタの各シャッタ部のシャッタスピードを制御するものである。この各シャッタ部のシャッタスピードが画像データに応じて制御され、フレキシブルケーブル３０３に備えられたＬＥＤ３０４，３０５，３０６からのＲＧＢそれぞれに対応する光がインスタント写真シート１００１上に照射され、インスタント写真シート１００１の幅方向に多数の光点（ドット）からなる潜像が記録される。この幅方向つまり一次元的に各シャッタ部が配列されている方向が、主走査方向である。従って、この各シャッタ部が主走査方向に電子的に走査されて１ライン分の光点（全画素）がインスタント写真シート１００１上に記録される。この光学ヘッド部３０１の電子走査によってインスタント写真シート１００１の主走査方向に多数のドットからなる光点が記録される。また、上述したように、本実施形態では、直流モータ４０６によりインスタント写真シート１００１が副走査方向に送られている。従って、副走査方向についても画像書込部３００によって多数のドット毎に光点が順次記録されていくこととなる。
【００６７】
さらに、メイン基板部１００には、ＰＩ駆動部１１６が備えられている。このＰＩ駆動部１１６は、ＦＰＩ部４０１，ＥＮＣＰＩ部４０２，ＣＯＵＮＴＰＩ部４０３を駆動する。ここで、ＦＰＩ部４０１，ＥＮＣＰＩ部４０２，ＣＯＵＮＴＰＩ部４０３について説明する。
【００６８】
ＦＰＩ部４０１は、インスタント写真シート１００１の有無を検出するためのフォトインタラプタである。
【００６９】
ＥＮＣＰＩ部４０２は、直流モータ４０６の回転に同期したパルス列からなるエンコード信号を出力するためのフォトインタラプタである。
【００７０】
ＣＯＵＮＴＰＩ部４０３は、カウンタ１３がリセット状態（インスタントフイルムパックが抜かれた状態）を検知するためのフォトインタラプタである。
【００７１】
また、メイン基板部１００には、カムスイッチ４０４が接続されている。このカムスイッチ４０４は、このプリンタ１の搬送機構における初期位置をモニタするためのスイッチである。
【００７２】
さらに、メイン基板部１００には、モータ駆動部１１７が備えられている。このモータ駆動部１１７は、ＭＰＵ１０１からの指示を受けて、ＥＮＣＰＩ部４０２から出力されたエンコード信号のパルス列の時間間隔が所定の時間間隔となるように直流モータ４０６の回転速度を制御する。
【００７３】
図１０は、図９に示す表示回路部の構成を示す図である。
【００７４】
図１０に示す表示回路部２０１には、一端が共通接続されるとともに電源電圧ＶＢが印加される電源用ＬＥＤ５１，パイロット用ＬＥＤ５２、通信エラー用ＬＥＤ５３，ローバッテリ表示用のＬＥＤ５４が備えられている。また、電源用ＬＥＤ５１の他端とグラウンドＧＮＤとの間に、直列に接続された抵抗素子６１およびトランジスタ７１が配備されている。さらに、パイロット用ＬＥＤ５２の他端とグラウンドＧＮＤとの間に、直列に接続された抵抗素子６２およびトランジスタ７２が配備されている。また、通信エラー用ＬＥＤ５３の他端とグラウンドＧＮＤとの間に、直列に接続された抵抗素子６３およびトランジスタ７３が配備されている。さらに、ローバッテリ表示用のＬＥＤ５４の他端とグラウンドＧＮＤとの間に、直列に接続された抵抗素子６４およびトランジスタ７４が配備されている。これらトランジスタ７１，７２，７３，７４には、ＭＰＵ１０１からのパルス信号が入力される。ここで、ＭＰＵ１０１が、本発明にいう発光制御部の役割を担うものである。ＭＰＵ１０１は、このプリンタ１が画像データ受信中は、以下に説明するようにして、トランジスタ７１，７２，７３，７４を経由して、画像データ受信の進度に合わせた個数のＬＥＤを発光させる。
【００７５】
図１１は、図１０に示すＬＥＤの、画像データ受信時における点灯タイミングを示す図である。
【００７６】
ここでは、プリンタ１に画像データを送信するにあたり、ＥＸＩＦフォーマットという画像データフォーマットが用いられるものとする。この画像データフォーマットには、画像容量等の情報が含まれたヘッダ情報が付加されている。このプリンタ１では、画像データを受信する際に、そのヘッダ情報を識別して解析することにより、これから受信する画像データの容量を求める。尚、図１１に示す１ｓｔＬＥＤ，２ｎｄＬＥＤ，３ｒｄＬＥＤ，４ｔｈＬＥＤは、電源用ＬＥＤ５１，パイロット用ＬＥＤ５２、通信エラー用ＬＥＤ５３，ローバッテリ表示用のＬＥＤ５４を表わす。
【００７７】
図１１に示すように、画像データの受信待ち状態では、１ｓｔＬＥＤのみ点灯している。次いで、赤外線通信を使用して画像データが受信される。以下、図１１および図１２を参照して説明する。
【００７８】
図１２は、図９に示すプリンタにおいて、画像データ受信の進度に合わせて４個のＬＥＤを順次に発光させる処理ルーチンのフローチャートである。
【００７９】
画像データの受信が開始されると、先ずステップＳ１において、１ｓｔＬＥＤの点滅を開始する。次いで、ステップＳ２において、ヘッダ情報を読み込んで、受信する画像データの容量を解析する。これにより全体の受信時間を算出する。さらに、ステップＳ３において、図１１に示すように、周期Ｔで１ｓｔＬＥＤを点滅する。
【００８０】
ステップＳ４では、全体の画像データのうちの１／４の画像データの受信が完了したか否か（全体の受信時間のうちの最初の１／４時間が経過したか否か）が判定される。１／４の画像データの受信が未だ完了していないと判定された場合は、ステップＳ３に戻る。一方、１／４の画像データの受信が完了したと判定された場合は、ステップＳ５に進む。ステップＳ５では、図１１に示すように１ｓｔＬＥＤを点灯し、さらにステップＳ６において、図１１に示すように周期Ｔで２ｎｄＬＥＤを点滅する。
【００８１】
ステップＳ７では、全体の画像データのうちの１／２の画像データの受信が完了したか否かが判定される。１／２の画像データの受信が未だ完了していないと判定された場合は、ステップＳ６に戻る。一方、１／２の画像データの受信が完了したと判定された場合は、ステップＳ８に進む。ステップＳ８では２ｎｄＬＥＤを点灯し、さらにステップＳ９において周期Ｔで３ｒｄＬＥＤを点滅する。
【００８２】
ステップＳ１０では、全体の画像データのうちの３／４の画像データの受信が完了したか否かが判定される。３／４の画像データの受信が未だ完了していないと判定された場合は、ステップＳ９に戻る。一方、３／４の画像データの受信が完了したと判定された場合は、ステップＳ１１に進む。ステップＳ１１では３ｒｄＬＥＤを点灯し、さらにステップＳ１２において周期Ｔで４ｔｈＬＥＤを点滅する。
【００８３】
次に、ステップＳ１３において、全体の画像データの受信が完了したか否かが判定される。全体の画像データの受信が未だ完了していないと判定された場合は、ステップＳ１２に戻る。一方、全体の画像データの受信が完了したと判定された場合は、ステップＳ１４に進む。ステップＳ１４では４ｔｈＬＥＤを点灯して、このフローの処理を終了する。
【００８４】
このように、本発明の第１のプリンタの一実施形態であるプリンタ１は、配列された４つのＬＥＤに、互いに異なる内部状況を互いに独立に点滅表示させるとともに、画像データ受信中は、画像データ受信の進度に合わせた個数のＬＥＤを点灯させるものである。このため、簡単な構成で画像データの受信の進行状況をユーザに認識させることができる。
【００８５】
図１３は、図１０に示すＬＥＤの、画像データ受信後に実行される一連の処理における点灯タイミングを示す図である。
【００８６】
図１３には、画像データ受信後に実行される、画像処理，プリント（印刷）処理，リピートデータ書込み処理の一連の処理における４つのＬＥＤの点灯タイミングが示されている。これら画像処理，プリント処理，リピートデータ書込み処理は、特に区別する必要もなく、従って連続した表示に見えるように、４つのＬＥＤそれぞれは所定の周期Ｔで点滅表示される。
【００８７】
次に、ヘッダ情報に画像容量の情報が含まれていない場合について、図１４を参照して説明する。
【００８８】
図１４は、４つのＬＥＤの、ヘッダ情報に画像容量の情報が含まれていない場合の一連の処理における点灯タイミングの一例を示す図である。ここでは、受信される画像データ量は比較的少ないものとする。
【００８９】
１ｓｔＬＥＤが点灯している状態で赤外線通信を使用して画像データが受信される。すると、周期Ｔ１で１ｓｔＬＥＤが点滅する。次いで、画像データが受信された時点から所定時間Ｔ２経過後、１ｓｔＬＥＤが点灯するとともに周期Ｔ１で２ｎｄＬＥＤが点滅する。ここで、この所定時間Ｔ２は、ＭＰＵ１０１に内蔵されたタイマで生成される。さらに所定時間Ｔ２経過後、２ｎｄＬＥＤが点灯し、次いで３ｒｄＬＥＤ，４ｔｈＬＥＤの順に点滅が開始して画像処理が行なわれ、この画像処理に続いてプリント（印刷）処理、リピートデータの書込み処理が行なわれる。これら画像処理，プリント処理，リピートデータの書込み処理では、４つのＬＥＤは点滅表示される。尚、画像データの受信が完了した時点Ａを起点として、画像処理およびプリント処理（図１４に示す（画像処理中）および（印刷中））を行なってもよい。但し、直流モータ４０６を駆動するのは、残りの２つのＬＥＤも点滅表示されてプリントのタイミングに切り替えられた以降とする。
【００９０】
図１５は、４つのＬＥＤの、ヘッダ情報に画像容量の情報が含まれていない場合の一連の処理における点灯タイミングの他の一例を示す図である。ここでは、受信される画像データ量は比較的多いものとする。
【００９１】
１ｓｔＬＥＤが点灯している状態で赤外線通信を使用して画像データが受信される。すると、周期Ｔ１で１ｓｔＬＥＤが点滅する。次いで、画像データが受信された時点から所定時間Ｔ２経過後、１ｓｔＬＥＤが点灯するとともに２ｎｄＬＥＤが点滅する。さらに所定時間Ｔ２経過後、２ｎｄＬＥＤが点灯するとともに３ｒｄＬＥＤが点滅する。次いで、所定時間Ｔ２経過後、３ｒｄＬＥＤが点灯するとともに４ｔｈＬＥＤが点滅する。その後、時刻Ａで画像データの受信が完了する。
【００９２】
図１６は、４つのＬＥＤの、図１５に示す画像データ受信後に実行される一連の処理における点灯タイミングを示す図である。
【００９３】
図１６には、画像処理，プリント（印刷）処理，リピートデータ書込み処理の一連の処理における４つのＬＥＤの点灯タイミングが示されている。これら画像処理，プリント処理，リピートデータ書込み処理は、特に区別する必要もなく、従って連続した表示に見えるように、４つのＬＥＤそれぞれは所定の周期Ｔで点滅表示される。
【００９４】
図１７は、本発明の第２のプリンタの一実施形態であるプリンタの内部の制御系統を示す構成ブロック図である。
【００９５】
尚、図１７に示すプリンタ２の外観斜視図は、前述したプリンタ１の外観斜視図と同じであるため、図示省略する。
【００９６】
図１７に示すプリンタ２は、図９に示すプリンタ１と比較し、ＭＰＵ１０１がＭＰＵ１２１に置き換えられている点が異なっている。このＭＰＵ１２１は、本発明の第２のプリンタにおける発光制御部の役割を担うものであり、このＭＰＵ１２１は、電源用ＬＥＤ５１，パイロット用ＬＥＤ５２，通信エラー用ＬＥＤ５３，ローバッテリ表示用のＬＥＤ５４に、互いに異なる内部状況を互いに独立に表示させるとともに、プリント出力中は、プリント出力の進度に合わせた個数のＬＥＤを発光させる。尚、これらＬＥＤの、プリント出力中における点灯タイミング、およびプリンタの進度に合わせて４個のＬＥＤを順次に発光させる処理ルーチンのフローチャートは、図１１に示すＬＥＤの、画像データ受信時における点灯タイミング、および図１２に示す画像データ受信の進度に合わせて４個のＬＥＤを順次に発光させる処理ルーチンのフローチャートと同様であるため、説明は省略する。
【００９７】
本発明の第２のプリンタの一実施形態であるプリンタ２は、配列された４つのＬＥＤに、互いに異なる内部状況を互いに独立に点滅表示させるとともに、プリント出力中は、プリント出力の進度に合わせた個数のＬＥＤを点灯させるものである。ここでは、プリント出力が１／４程度完了している段階で、配列された４つのＬＥＤのうちの１ｓｔＬＥＤ（電源用ＬＥＤ５１）を表示させ、プリント出力が１／２程度完了している段階で、配列された４つのＬＥＤのうちの２ｎｄＬＥＤ（パイロット用ＬＥＤ５２）を表示させるというように、４つのＬＥＤの表示形態および表示個数によりプリント出力の進行状況をユーザに認識させることができる。
【００９８】
図１８は、本発明の第３のプリンタの一実施形態であるプリンタの内部の制御系統を示す構成ブロック図である。
【００９９】
尚、図１８に示すプリンタ３の外観斜視図は、前述したプリンタ１の外観斜視図と同じであるため、図示省略する。
【０１００】
図１８に示すプリンタ３は、図９に示すプリンタ１と比較し、ＭＰＵ１０１がＭＰＵ１３１に置き換えられている点と、表示回路部２０１が表示回路部２３１に置き換えられている点が異なっている。ＭＰＵ１３１は、本発明の第３のプリンタにおける発光制御部の役割を担うものであり、このＭＰＵ１３１は、電源用ＬＥＤ５１を、画像データ受信中、画像データ受信進度に合わせた明るさで発光させる。表示回路部２３１については図１９を参照して説明する。
【０１０１】
図１９は、図１８に示す表示回路部の構成を示す図である。
【０１０２】
図１９に示す表示回路部２３１には、一端に電源電圧ＶＢが印加される電源用ＬＥＤ５１が備えられている。また、電源用ＬＥＤ５１の他端とグラウンドＧＮＤとの間に、直列に接続された抵抗素子８１およびトランジスタ９１が配備されている。さらに、電源用ＬＥＤ５１の他端とグラウンドＧＮＤとの間には、直列に接続された抵抗素子８２およびトランジスタ９２が配備されている。また、電源用ＬＥＤ５１の他端とグラウンドＧＮＤとの間には、直列に接続された抵抗素子８３およびトランジスタ９３が配備されている。さらに、電源用ＬＥＤ５１の他端とグラウンドＧＮＤとの間には、直列に接続された抵抗素子８４およびトランジスタ９４が配備されている。これらトランジスタ９１，９２，９３，９４には、ＭＰＵ１３１からのパルス信号が入力される。ＭＰＵ１３１は、電源用ＬＥＤ５１を、プリンタ３が画像データ受信中、以下に説明するようにして、トランジスタ９１，９２，９３，９４を経由して、画像データ受信の進度に合わせた明るさで発光させる。
【０１０３】
最初の時点では、トランジスタ９１，９２，９３，９４は全てオフ状態にある。尚、ここでは、プリンタ３に画像データを送信するにあたり、ＥＸＩＦフォーマットという画像データフォーマットが用いられるものとする。１／４の画像データの受信が完了した時点で、ＭＰＵ１３１からトランジスタ９１にパルス信号が入力される。これにより、これによりトランジスタ９１がオンされて、電源用ＬＥＤ５１が第１の明るさで発光する。
【０１０４】
次いで、１／２の画像データの受信が完了した時点で、ＭＰＵ１３１からトランジスタ９２にもパルス信号が入力される。これにより、これによりトランジスタ９２もオンされて、電源用ＬＥＤ５１が第１の明るさよりも明るい第２の明るさで発光する。
【０１０５】
さらに、３／４の画像データの受信が完了した時点で、ＭＰＵ１３１からトランジスタ９１，９２に加えてトランジスタ９３にもパルス信号が入力される。これにより、電源用ＬＥＤ５１が第２の明るさよりも明るい第３の明るさで発光する。
【０１０６】
さらに、全ての画像データの受信が完了した時点で、ＭＰＵ１３１からトランジスタ９１，９２，９３に加えてトランジスタ９４にもパルス信号が入力され、これにより電源用ＬＥＤ５１が最も明るい明るさで発光する。このように、電源用ＬＥＤ５１の明るさの度合いで画像データの受信の進行状況をユーザに認識させることができる。
【０１０７】
尚、データ量が不明な画像データ受信中は、電源用ＬＥＤ５１を、受信開始からの時間経過に従った明るさで発光させることとする。ここで、受信開始からの経過時間は、ＭＰＵ１３１に内蔵されたタイマに基づいて生成される。このようにすることにより、データ量が不明な画像データの場合であっても、画像データの受信の進行状況をユーザに認識させることができる。
【０１０８】
図２０は、本発明の第４のプリンタの一実施形態であるプリンタの内部の制御系統を示す構成ブロック図である。
【０１０９】
尚、図２０に示すプリンタ４の外観斜視図は、前述したプリンタ１の外観斜視図と同じであるため、図示省略する。
【０１１０】
図２０に示すプリンタ４は、図１８に示すプリンタ３と比較し、ＭＰＵ１３１がＭＰＵ１４１に置き換えられている点が異なっている。ＭＰＵ１４１は、本発明の第４のプリンタにおける発光制御部の役割を担うものであり、このＭＰＵ１４１は、電源用ＬＥＤ５１を、プリンタ出力中、プリント出力の進度に合わせた明るさで発光させる。
【０１１１】
画像データの受信完了後、表示回路部２３１に備えられたトランジスタ９１，９２，９３，９４は全てオフ状態にある。このため、電源用ＬＥＤ５１は消灯状態にある。ここで、１／４のプリント出力が完了した時点で、ＭＰＵ１４１からトランジスタ９１にパルス信号が入力される。すると、トランジスタ９１がオンされて、電源用ＬＥＤ５１が第１の明るさで発光する。
【０１１２】
次いで、１／２のプリント出力が完了した時点で、ＭＰＵ１３１からトランジスタ９２にもパルス信号が入力される。これにより、トランジスタ９２もオンされて、電源用ＬＥＤ５１が第１の明るさよりも明るい第２の明るさで発光する。
【０１１３】
さらに、３／４のプリント出力が完了した時点で、ＭＰＵ１３１からトランジスタ９１，９２に加えてトランジスタ９３にもパルス信号が入力される。これにより、電源用ＬＥＤ５１が第２の明るさよりも明るい第３の明るさで発光する。
【０１１４】
さらに、全てのプリント出力が完了した時点で、ＭＰＵ１３１からトランジスタ９１，９２，９３に加えてトランジスタ９４にもパルス信号が入力され、これにより電源用ＬＥＤ５１が最も明るく発光する。このように、電源用ＬＥＤ５１の明るさの度合いでプリント出力の進行状況をユーザに認識させることができる。
【０１１５】
尚、上述した実施形態では、画像がプリントされるインスタント写真シートを搬送しながらそのインスタント写真シートに画像を書き込むことによりそのインスタント写真シート上にその画像をプリントするプリンタ１，２，３，４の例で説明したが、これに限られるものではなく、本発明のプリンタは、画像データを受信し受信した画像データに基づく画像をプリント出力するプリンタであればよい。
【図面の簡単な説明】
【０１１６】
【図１】本発明の第１のプリンタの一実施形態を、斜め前方から見た斜視図である。
【図２】図１に示すプリンタにおいて、カメラ付き携帯電話からの画像データに基づいて画像が記録されたインスタント写真シートが排出される様子を示す図である。
【図３】図１に示すプリンタの下面側を斜め上方から見た斜視図である。
【図４】図３に示すプリンタの、フイルムドアが開けられた状態の斜視図である。
【図５】図４に示すプリンタの、筐体が取り外された状態の斜視図である。
【図６】インスタント写真シートの露光面を示す斜視図である。
【図７】インスタント写真シートの観察面を示す斜視図である。
【図８】媒体搬送展開部の断面図である。
【図９】プリンタ内部の制御系統を示す構成ブロック図である。
【図１０】図９に示す表示回路部の構成を示す図である。
【図１１】図１０に示すＬＥＤの、画像データ受信時における点灯タイミングを示す図である。
【図１２】図９に示すプリンタにおいて、画像データ受信の進度に合わせて４個のＬＥＤを順次に発光させる処理ルーチンのフローチャートである。
【図１３】図１０に示すＬＥＤの、画像データ受信後に実行される一連の処理における点灯タイミングを示す図である。
【図１４】４つのＬＥＤの、ヘッダ情報に画像容量の情報が含まれていない場合の一連の処理における点灯タイミングの一例を示す図である。
【図１５】４つのＬＥＤの、ヘッダ情報に画像容量の情報が含まれていない場合の一連の処理における点灯タイミングの他の一例を示す図である。
【図１６】４つのＬＥＤの、図１５に示す画像データ受信後に実行される一連の処理における点灯タイミングを示す図である。
【図１７】本発明の第２のプリンタの一実施形態であるプリンタの内部の制御系統を示す構成ブロック図である。
【図１８】本発明の第３のプリンタの一実施形態であるプリンタの内部の制御系統を示す構成ブロック図である。
【図１９】図１８に示す表示回路部の構成を示す図である。
【図２０】本発明の第４のプリンタの一実施形態であるプリンタの内部の制御系統を示す構成ブロック図である。
【符号の説明】
【０１１７】
１，２，３，４  プリンタ
１ａ  筐体
１ｂ  ストラップ取付部
１０  カメラ付き携帯電話
１１  電源スイッチ（電源ＳＷ）
１２  リピートスイッチ（リピートＳＷ）
１３  カウンタ
１４  送受信窓
１８  フイルムドア開放スイッチ
１９  送出口
２０  フイルムドア
２０ａ  パック在否確認窓
２０ｂ,２０ｃ，３５＿１，３５＿２  バネ部材
２１  電池蓋
２２  パック室
２４  爪（クロー）
２５  インスタントフイルムパック
３０  媒体搬送展開部
３１,３２  搬送ローラ
３３,３４  展開ローラ
３６，３７  制御板
３８  フイルム案内フレーム
３９  ギア列
５１  電源用ＬＥＤ
５２  パイロット用ＬＥＤ
５３  通信エラー用ＬＥＤ
５４  ローバッテリ表示用のＬＥＤ
６１，６２，６３，６４，８１，８２，８３，８４  抵抗素子
７１，７２，７３，７４，９１，９２，９３，９４  トランジスタ
１００  メイン基板部
１０１，１２１，１３１，１４１  ＭＰＵ
１０２，１１３  発振子
１０３  リセット回路
１０４  フラッシュメモリ
１０５  ＳＤＲＡＭ
１０６，１０７  電源部
１０８  ＤＣ／ＤＣコンバータ
１０９  電源制御部
１１０  ＢＣ部
１１１  ＴＰＧ部
１１２  温度検出部
１１４  ＩｒＤＡ／ＬＣＳ制御部
１１５  ヘッドＬＥＤ駆動部
１１６  ＰＩ駆動部
１１７  モータ駆動部
２００  サブ基板部
２０１，２３１  表示用ＬＥＤ部
３００  画像書込部
３０１  光ヘッド部
３０２，３０３  フレキシブルケーブル
３０４,３０５,３０６  発光素子（ＬＥＤ）
４０１  ＦＰＩ部
４０２  ＥＮＣＰＩ部
４０３  ＣＯＵＮＴＰＩ部
４０４  カムスイッチ
４０５  ＩｒＤＡ送受信部
４０６  直流モータ
４０７  一次電池
１００１  インスタント写真シート
１００１＿１  露光面
１００１＿２  観察面
１００１ａ  現像溜まり
１００１ｂ  露光部
１００１ｃ，１００１ｆ  余白部
１００１ｄ  トラップ部
１００１ｅ  観察部
【図１】
2007015227.tif 000003
【図２】
2007015227.tif 000004
【図３】
2007015227.tif 000005
【図４】
2007015227.tif 000006
【図５】
2007015227.tif 000007
【図６】
2007015227.tif 000008
【図７】
2007015227.tif 000009
【図８】
2007015227.tif 000010
【図９】
2007015227.tif 000011
【図１０】
2007015227.tif 000012
【図１１】
2007015227.tif 000013
【図１２】
2007015227.tif 000014
【図１３】
2007015227.tif 000015
【図１４】
2007015227.tif 000016
【図１５】
2007015227.tif 000017
【図１６】
2007015227.tif 000018
【図１７】
2007015227.tif 000019
【図１８】
2007015227.tif 000020
【図１９】
2007015227.tif 000021
【図２０】
2007015227.tif 000022